(57)【要約】      （修正有）【課題】寝たきり身体不自由者の排泄尿の処理を簡略省力化する送り出しし瓶を提供する。【解決手段】送り出しし瓶は５つの部品から構成される。１の外径１８ｍｍ、内径１２ｍｍ、長さ４５ｃｍの塩化ビニール管を人の排尿器とヘソの中間の下腹の膨らみに合わせて曲げ加工したもの１、２該管の曲がりの中央に厚さ３ｃｍ縦２０ｃｍ横１５ｃｍの発泡スチロール板でできた前庭２、３これに接着させて接続した集尿パット３、４該パット３の底の中央線上に縦長に圧着、硬化、固定させたところの長さ１５ｃｍ高さ１０ｃｍの斜線を持つ直角三角形の中央に外径１８ｍｍ、内径１２ｍｍ、長さ３ｃｍの塩化ビニール管をとおす穴を穿ち、該管を固定、硬化させた後該塩化ビニール管、５長さ８０ｃｍの伸縮ゴム紐５をとおして上記曲げ加工した塩化ビニール管の両端に引っ掛けるようにした。【選択図】図１
0003218436.tif 000002
【実用新案登録請求の範囲】
【請求項１】
直径が５ｃｍ、長さ１５ｃｍくらいの密閉円筒の後部１０ｃｍくらいを巾４ｃｍ位に亘って切り開き、下げて、更にその先に発泡スチロールの１／３位の縦割り円筒にしたものを接着継ぎ足してその後端を徐々に薄くしたものを排尿の密着収集パットとして、その閉鎖した全面から僅か１ｃｍ位後部にずらした部位の真下或いは真横に直径７ｍｍの小孔を穿ち、この孔に直径８ｍｍ
0003218436.tif 000005
【請求項２】
該密着収集パットと端末の集尿ボトルとの間には外径８ｍｍの透明ホースが１．５ｍの長さで密着結束されて繋がっており、排尿は該ホースの中をとおって溜まるのであるが、該パットの内側に覗いたホースは、パットの内側と外側で金属座金を用いて堅牢に、性能が優れた接着剤で硬化結束され外れないようにしたことを特徴とする「請求項１」の「送り出しし瓶。」
【請求項３】
該密着収集パットの装着の仕方は、該パットの全面に紐を廻し止めし、この紐に更にホック加工した巾２ｃｍ、長さ１５ｃｍの伸縮帯を輪の中をタオルケットで縒った縒り紐（縄）に吊り下げた形とし、更に該パットの後部に結束した股下をとおる紐二本で該縒り紐へ後部に結び付ける形で密着されることを特徴とする［請求項１］の「送り出しし瓶。」
【考案の詳細な説明】
【技術分野】
【０００１】本考案は寝たきり病人等、肢体不自由病人の排泄尿の処理を簡略、省力化することで、介護をより効能率化するための「送り出しし瓶」に関するものである。
【背景技術】
【０００２】上記患者の排泄尿の処理は使い捨て「おしめ」、或いは人体の尿道にホースを差し入れて行われている。
【先行技術文献】
【０００３】実用新案登録第３２０８７０７号  公報
【考案の概要】
【０００４】上記のような終末期患者の収容病院施設では、患者が看護室に通じた通電ボタンを押すことで看護人に連絡して、車イスに患者をベルトで固定してトイレに連れていったり、或いは使い捨て「おしめ」を取り替へたりしている。
それは、介護或いは看護の大半の時間を費すような甚だ手間のかかる低次元介の護、看護となっている
又より医療行為に近いものとしての人身の尿道にホースを差し入れて排尿パックに導管で導く方法は極めて理不尽である。
その点本願機構の密着収尿パットは、その装着さへ確実に行われれば介護の手間暇は大巾に簡略化され介護能率はより患者に密着したものとなる。
【課題を解決するための手段】
【０００５】本考案の最大の力点は排尿を外に絶対に洩らさないようにするための送り出しし瓶の構造とその装着の仕方を追求する。
その第１の要所は密着・収集パットの閉鎖した円筒の前部の僅か１ｃｍ位後方の真下、或いは左右どちらかの一方の真横に直接７ｍｍの小孔を穿ち、この孔に外径８ｍｍの透明ホースの内側に、鉄・ニッケル合金の外径６ｍｍのスペーサーを差し入れた後前記直径７ｍｍの孔に押し込み且つホースの左端を炙って収縮膨張させて、密着収集パットの小孔に圧着させて排尿の漏えい措止と離脱防止に努める。
その際該密着、収集パットの内側に覗いたスペーサーを嵌め込んだ外径８ｍｍの透明ホースの先端に更に金属座金の内径にとおして、性能のよい接着剤を塗布して硬化結束することで更なる漏えい離脱防止につとめる。（図面参照）
該パットのホースをとおした外側にも同様の座金を使って接着剤で接着硬化をはかる。
該ホースの内側に覗いたホースの先端が出過ぎると排尿が残留するので接着剤を盛り上げて硬化させててパット内の残尿防止につとめる。
次にこの密着、収集パットを尿が洩れ出ないように排尿器官に当てる。
それにはタオルケットを巾３ｃｍ、長さ１３０ｃｍに裂いたものを二本縒り合わせて縒り紐（縄）を腰に巻きつけて結ぶ
この密着、収集パットと該縒り紐（縄）の装着態様は相撲の廻しを装着するのと同じでありパットの密着がゆるくなって尿が洩れ出ないように適度の圧力で残尿器官に密着させて腰に巻いた縒り紐に結びつける。
次に該パットの閉鎖前面には紐を円筒に廻し止めしてその輪の中に両端をホック止めした伸縮帯をとおすことで該パットの前部の着脱を容易にできるようにする。
後部の端は発泡スチロールが該パットの円形に沿って漸次薄くなるようになっているのであるが、塩ビパイプの後端には左右に小孔を左右に二個穿ちその孔に左右二本のヒモをそれぞれとおして上にある縒り紐に繋いで結束し、他端は腰に巻いた縒り紐に結束することで密着収集パットは患者の股下とおした二本の紐で装着され、排尿が洩れないように細心の注意をもって該パットの装着を完了する。
腰にはヘソ下１０ｃｍ、骨盤の左右の突出部の上部をとおるところの縒り紐は伸縮性があるので装着の異和感はなくむしろ多少の緊迫感かあって快適なものとなる。
車イス等に腰掛けることも装着したままでも出来るのであるが異和感があれば前部のホック付伸縮帯のホック止め、外しで該パットの着脱は容易にできる。又アルコール等で該パットの内部を拭ことで清潔も維持される。
【考案の効果】
【０００６】  装着は快適なものとなり、清潔維持も容易にできる。
【図面の簡単な説明】
【０００７】
【図１】送り出しし瓶の各部分の分離総合図  上から順番に直径が３ｃｍ位のタオルケット地で縒った腰に巻き付ける縒り紐（いわゆる縄）  前にホック止めの加工をした伸縮帯と後に股下通過する紐を二本結び付けた密着収集パット。該パットに結束した透明ホースの導管と床に置く安定容器の中に収まった集収ボトル。
【図２】密着収集パットの前部側胴部分への取り付け態様（上部がパットの内側、下部はパットの外側である。）
【図３】分断した導管の内部にスペーサーを差し入れることで二本のホースを繋ぐことができる。
【考案を実施するための形態】
【０００８】  体に密着させた収集パット、それに繋いだ透明ホース（径８ｍｍ）とその先に繋いだ収集ボトルに至るまでの本機構の全過程で排泄尿が上から下へと移動する間に洩れ出ることがあってはならない。
繋ぎ方で最も注意するところは収集パットと直径８ｍｍ長さ１．５ｍの透明ホースの、パットへの繋ぎ方である。
0003218436.tif 000003
部分の左右どちらか一方の真横に（何故真横かと云うと横臥状態で排尿することが排尿し易いから）直径７ｍｍの小孔を穿つ。左の孔は左横臥、右の場合は右横臥に対応する。
この小孔に、直径６ｍｍ、長さ、２ｃｍ〜３ｃｍの鉄、ニッケルの合金スペーサーを差し込んだホースの先端を無理、矢理差し入れることで、（実際には該ホースを貫きとおした後スペーサーを差し込み、ホースの前端部分を炙って収縮膨張させた後に金属座金を張り
0003218436.tif 000004
外に引き出すのであるが）接着剤の硬化のたすけをかりてホースが該密着、収集パットから抜けて離脱するのを防止するように施工する。
該パットの外側にも金属座金を張り付けて同様にホースが抜けるのを防止するようにした後接着剤の塗布を厚くして硬化結束をした。
このように透明ホースをとおした密着、収集パットの内側、外側の両方に接着剤を盛り上げる方法で、結束をし、患者のどのような動に対してもパットとホースが抜けて外れないように、強固に結束固定した。
この施工の後該密着・収集パットの前部に紐を廻し止めするのであるが、この紐の中をホックを取り付けた長さ１０ｃｍくらいの伸縮帯をとおして収めることで該パットの前部が着脱できるようにした。
該パットの後部には小孔を左右に二個穿って長さ９０ｃｍくらいの紐をそれぞれの孔にとおして該パットが腰に巻いた直径３ｃｍのタオルケットを裂いて出来た長さ１．２ｍの紐を縒ったいわゆる縄に身体に合わせて、該密着収集パットが或る程度密着度が増すように固定するのであるが、その装着態様は相撲の廻しを付ける態様と同じである。
タオルケットを裂いて縒った縒り紐は伸縮性に優れており装着の際の圧迫感がない。むしろ多少の緊迫感があって快適である
長時間、装着しても何ら異和感がない。装着状態で車イス等へ座ることもできるが、異和感があれば前部のホックを外すことで後部は縒り紐に繋ったままで体に当らないところに該パットを置いておける。
【実施例】
【０００９】使用するパットの材料は少くとも多少厚みがなければならないが、厚めの発泡スチロールでも結束部を硬化を確実にすればその使用に耐えられる。
むしろ発泡スチロールの方が体への当りが柔かいので良好に出来上る。
本願の試作では直径５ｃｍの塩化ビニールＶＵパイプを使用した。【００１０】座ったまま使用にも耐えられるが密着収集パットの装着に異和感があれば前部のホック付き伸縮帯のホックの止め、外し、で容易に該パットの前部の着脱はできる【００１１】立ち姿の使用にも耐えられるように透明ホースを側胴部に取り付けた。その際は収集パックの小型にした収納袋を膝の内側に括り付けるような施工が必要である【００１２】該密着収集パットの内部は当人がアルコールで拭くことができ、衛生的に使用できる。パット内の残尿は排出し尽さねばならない。【００１３】１０日に１回位は塩素系の洗済を入れた水中に一晩浸け置くことで、浸け置き洗ができる。衛生的に使用できる。
【符号の説明】
【００１４】１．密着・収集当てパット、２  パット前部へのホック付き伸縮帯
３．パット後部から伸した二本の腰に巻いた縒り紐に取り付けるための紐長さ９０ｃｍ位
４．合金の繋ぎスペーサー  ５．縒り紐（編み縄）
６．転倒防止用保護容器  ７．継ぎ足し発泡スチロール（座席に備へて）
８．ホースの前端を炙って収縮させた膨張部分
【図１】
0003218436.tif 000006
【図２】
0003218436.tif 000007
【図３】
0003218436.tif 000008
【手続補正書】
【提出日】平成30年1月4日(2018.1.4)
【手続補正１】
【補正対象書類名】実用新案登録請求の範囲
【補正対象項目名】全文
【補正方法】変更
【補正の内容】
【実用新案登録請求の範囲】
【請求項１】
臍と排尿器官の中間部を頂点として腰骨の左右両脇の突起に向けて伸びた長さ４５ｃｍ余りの曲げ加工したＶＰ１３の塩化ビニール管の円狐と一体となった集収パットと下部床に置いた集収ボトルを外径８ｍｍ、長さ１．５ｍの透明ホースで繋いだ送り出しし瓶
【請求項２】
集収パットと集収ボトルを繋ぐところの透明ホースの繋ぎ方は透明ホースの外径８ｍｍ、内径６ｍｍ、長さ１．５ｍの両端をそれぞれの器具に穿った直径８ｍｍの孔の内外に、内径８ｍｍの金属座金を当てて、それぞれの器具の板材を挾んで該透明ホースのそれぞれの端部を外側から内側に向けて貫きとおした後、それぞれの器具の内側に覗いた該透明ホースの端末に外径６ｍｍ、内径５ｍｍ長さ２ｃｍの金属繋ぎ管と該透明ホースの端部が３ｍｍ位浮き出すように奥まで押し入れた後、該ホースの端部を炙ってホース末端の周囲を膨張させた後、冷して硬化させた後、各器具の内外及びそこに当てた金属座金の内外に塗布したシリコン圧着目地シールの中を引戻して該ホースの端末部が器具の板材に概略スレスレに覗くように埋め込む形で繋いだ請求項１の送り出しし瓶。
【請求項３】
臍と排尿器の概略中間部の腹の膨らみに沿った形に曲げ加工した長さ約４５ｃｍのＵＰ１３の円孤に厚さ３ｃｍの上片が１０ｃｍ下辺が７ｃｍ、高さが１２ｃｍの台形の発泡スチロール板の上辺を接着し、その裏面にパットの前面を接着した後、パットの下面に縦に更に厚さ３ｃｍ、の１５ｃｍ×１０ｃｍ×１８ｃｍの直角三角形を縦長に接着したもの一体となした後、これにＶＰ１３の長さ３ｃｍの孔を穿ってこれをとおして固定してこれらを一体化する。
この長さ３ｃｍのＶＰ１３が集収パットの下面に縦に接着した該直角三角形のできる丈下方に穿った孔をとおして固定した後このＶＰ１３の孔に長さ６０ｃｍ、直径６ｃｍの伸縮ゴム紐をとおしてその両端を、該曲げ加工した、ＶＰ１３の中をとおした紐を背後で折返して二重にして前で結んだ、腰紐に結束することで、該曲げ加工した長さ４５ｃｍのＶＰ１３が一体集収パットの支点となり、パット下方にある長さ３ｃｍのＶＰ１３の中をとおした伸縮ゴム紐が股下及び左右尻ペタ下を通って一体集収パットを引寄せることで身体への密着が促されて、装着されるところの請求項１の送り出しし瓶。
【手続補正２】
【補正対象書類名】明細書
【補正対象項目名】全文
【補正方法】変更
【補正の内容】
【考案の詳細な説明】
【技術分野】
【０００１】寝たきり身体不自由者の排泄尿の処理を簡略省力化することで、介護人の介護を効率よく簡略化するため、又、使い捨て意識の改善を図るためのものである。
【背景技術】
【０００２】  寝たきりの病人等の排泄尿の処理は、使い捨ておむつ或いはし瓶で或いは医師の尿導そう入によって行っている。
最近は食材    多岐に亘り、頻尿或いは過活動膀胱と間断なく尿意が襲うが、高齢者は筋力の低下から尿道のしまりがゆるくなりそれに適格に対応できない人が増へている。
【先行技術文献】
【０００３】実用新案登録第３２０８７０７号  公報
【考案の概要】
【０００４】  寝たきり患者、或いは老人ホーム等での肢不自由者の収容施設では、これらの人と看護、介護施設との間で電通ボタンで連絡して、その処理を、人手によって行っている。
おむつを取替へたり、車イスで排尿室に運んだりしている。おむつの場合、多尿者では、その重さでおむつでは厳格に対応できない。
この処理方法は甚だ低次元の、人の尊厳を損い、又浪費が多い処理方法である。
ここにおいて、人体に密着することが促がされて、尚且漏尿がなければ残るは清拭衛生保持の手間がある丈である。
それらの清拭は纏めて、間隔をおいて、行うことも考えられる。
ということで配管工の立場から、完壁な器具とホースの結束と、身体への密着促進装着に挑戦してみた。
【課題を解決するための手段】
【０００５】  本願の命題は器具の繋ぎ目、或いは身体への装着が遺憾なく行われて尿の漏れが皆無になることである。
その他は時間的に余裕ができるので介護がより密着して、煩雑になることなく、お互いがより緻密に関係でき行き届いた介護、看護ができると思われる。
従来のおむつでは多尿排泄に対応することは、尿の重みで締めつけがゆるくなる。又ガラス瓶し瓶では自身での取扱いができぬ、簡易トイレは身体の移動の問題が残る。
これらの不当危険因子は本願の器具の装着で補うことができる。装着後集尿ボトルが満たんになるまでは放置できる。
排尿器管に当てる集尿パットは、本製の箱に油性ペンキを塗って対応でき、ペットボトルでも、或いはアルミ缶でも開口部の切り口にスポンジ帯を当てて接着することで対応できる。
衛生面からすると発泡スチロールで巾を狭く加工することで目地シールの一晩の圧着で強力な接着力が得られる。
建築コンクリートブロックの形をした発泡体もあるので、その三穴を利用した集尿パットは手軽に構築できる。
唯股下に当てるのでこれらも巾広加工はできない。
いづれにしろこれらの集収パットは垂直線から概略４５°前傾した角度で身体に密着させる。
従って透明ホースをパットに繋ぐ位置はパットの最後部でなければならない。又内側にのぞいたホースの端末が突出してはならない。
それと同時に集収パットも前面、後面も多少前傾させた方がよいが、車イスに座るには余り後に突き出すのは好ましくない。
集収パット、集収ボトル、における底盤或いはキャップにはホースの外径と同じ孔を穿って、内径が同じ金属座金を該器具の底盤或いはキャップを内外から挾んで、該ホースを外側から貫きとおしホースの端が内側にはみ出させた後外径６ｍｍ、内径５ｍｍの接続管をホースの端末が３ｍｍ位出るまで押し入れ該ホースを炙って口が膨らんだ後これを外側に引き戻すことで、その内外に目地シール接着剤を塗布しておればそれの硬化により該器具とホースの端は確実に緊縛して接着することができる。（図２参照）
又該透明ホースの中途には金属繋管による継ぎ目を作っておくと便利である。
このようにして、集収パットと集収ボトルは透明ホースで繋ったので、次は集収パットを排尿器官に圧着して密着を促す方法が必要となる。
0003218436.tif 000009
長さ約４５ｃｍの中を通って腰に巻かれ、他の一本は背中で交差して前でこのＶＰ１３の曲げパイプに集収パットを８ｃｍ位間をあけて１０ｃｍ×１５ｃｍ高さ１０ｃｍの台形の厚さ３ｃｍ結ばれる発泡スチロールを接着固定する。
その後該集収パットの底盤の外に厚さ３ｍｍの１５ｃｍ×１０ｃｍ×１８ｃｍ直角三角形を接着してこれを股で、該パット先え挟むような感じで股下この直角三角形が動かぬようにする。
該直角三角形のできるだけ下方にＶＰ１３を長さ３ｃｍ該直角三角形を貫いて固定する。その後この３ｃｍのＶＰ１３の孔に長さ６０ｃｍ、直径６ｍｍの伸縮ゴム紐をとおして、股下をとおって集収パットを排尿器官に引き寄せて腰ヒモに固定する
0003218436.tif 000010
の下部を排尿器官に引き寄せる感じて腰紐に結束する。
このようにして該集収パットは４５°の角度で排泄器官に引き寄せられて、漏れない確かな装備が促されることとなる。
【考案の効果】
【０００６】装着は長時間何ら支障なく圧着が促されることとなり、装着者は安心して排尿がボトルが一杯になるまでおむつ替へ或いは車イスでのトイレへの移動はしなくてもよい。
アルコールスプレー、或いはジ塩素酸スプレーで時には消毒することは必要である。
又該機構は仰向け状態での排尿を想定しているのであるが、パット内に尿が残り、皮膚に触れることはできる丈避けなければならない。よって該集収パットの中において前部２／３、後部１／３位の割合での間仕切りをつけて２／３の
0003218436.tif 000011
【図面の簡単な説明】
【０００７】
【図１】全体図  長さ４５ｃｍの曲げ加工したＶＰ１３の前部に接着した前庭と集収パットとそれと下部直角三角形が一体となって前部曲げＶＰ１３とその下の前庭とのの結束点が支点となって下部の直角三角形にとおしたゴム紐で排尿器官に引き寄せられて長時間の密着が促がされる、一体型集収パットと腰巻き紐、引き寄せゴム紐の結束図
【図２】集収パットの底盤の最後部で集収パットの内外の金属座金に挾まれた２接続された透明ホースの上部端末の炙った後ホースの端末の膨張部分が、外径６ｍｍ、内径５ｍｍ長さ２ｃｍの繋ぎ金属管と、内径８ｍｍの座金に挟まれて、該ホースが外に引き戻されてちぎれぬ限り引き抜けない接続方法を示す。
【考案を実施するための形態】
【０００８】  本考案は器具とホースの繋ぎ目、そしてそれら器具から構成される装置全体から排尿が洩れ出ることは絶対あってはならない。寝たきり看者の排出尿は、集収パットが身体に４５°の角度で装着されており、その装着方法は常に体への密着が途切れることは勿論、装着の形態が身体から器具が離れてはならない。
器具が身体に密着させるには、器具である集収パットが唯単に孤立しているのではなく、その集収パットと、前庭及び集収パットの下につけた直角三角形、全体を排泄器官に引きつけるべきであると考えたので、ＶＰ１３の４５ｃｍの長さを人の下腹の膨らみに合わせた曲げ加工をして、これに発泡スチロールを接着したところの前庭として該集収パットを付け、更にその底から下に２０ｃｍ程伸ばしたところに直角三角形を発泡スチロールを接着加工し、該直角三角形の可能な限り下部にＶＰ１３の長さが３ｃｍのものを直角に埋め込んで、その中を長さ６０ｃｍ、直径６ｍｍの伸縮ゴムをとおして、身体の股下から尻べたの下部をとおって、その左右の端末を、上部の曲げ加工したＶＰ１３の４５ｃｍの中をとおした、ところの二重に巻いた腰紐の左右にそれぞれ結束した。
こうして、曲げ加工したＶＰ１３の４５ｃｍと、その下に結束して固定した前庭との繋ぎ目が可動するようにすることでこの一体集収パットがテコの働きの支点となり、集収パットの最下部の直角三角形の中をとおした伸縮ゴム紐で集収パッドが常に身体に密着することを促すことで、身体への柔かな密着状態が得られる。
こうして身体への密着装着は排尿器を中心とするところの面積５０ｃｍ２位の一体型集収パッドとなり、装着による窮屈感も軽くなった。
又仰向け排尿も集収パット内に間仕切り加工して排出された尿は集収パットの前部２／３の室内のみが潤うことになり後部１／３室内は空室となるので、若し身体に排尿が接してもその接する面積は集尿パットが身体に当る面積の２／３ということとなる。
勢いよく排尿する尿意の場合は仰向けの放尿ではなく多少横向きの体勢が求められるが、このような患者肢体不自由者にはそのような排尿が身体に接触することはないものと思われる。
又、車イスに坐る場合には、身体から装置をはずすことが必要であり、大便の場合は便器に座るのに何ら問題はない。
着脱は清拭洗濯の時以外は殆んどのその必要はないと思われる
【実施例】
【０００９】最近は過活動膀胱による頻尿がよく聞かれる。
又老体になると筋肉での体の締まり工合がゆるくなる。
かてて加へてそんな尿意は急激に襲ってくるのでどうしてもチビリがちであり、下着を汚すことが多い。
そのような時には本装置は立った状態でも何ら装着に支障はない。又、装着がそれなりの解放感も得られることから透明ホースの解放口をコックで止めることで立居での排尿は行うことができる。
着衣の時にもそれほど装着が目立つことはない。
【符号の説明】
【００１０】１、ＶＰ１３の曲げ加工をしたもの、  ２、前庭、  ３、集収パット
４、直角三角形、  ５、ゴム紐、  ６、腰紐、
７、金属座金、  ８、金属繋ぎ管、（外径６ｍｍ、内径５ｍｍ）
９、透明ホース先端（炙って膨ませた状態）
１０、集収パットの底盤  １１、透明ホース
【手続補正３】
【補正対象書類名】図面
【補正対象項目名】全図
【補正方法】変更
【補正の内容】
【図１】
0003218436.tif 000012
【図２】
0003218436.tif 000013
【手続補正書】
【提出日】平成30年3月12日(2018.3.12)
【手続補正１】
【補正対象書類名】実用新案登録請求の範囲
【補正対象項目名】全文
【補正方法】変更
【補正の内容】
【実用新案登録請求の範囲】
【請求項１】
この送り出しし瓶は五つの部品からなるのであるが上から順に並べると塩化ビニール管の外径１８ｍｍ内径１２ｍｍでその長さは４５ｃｍを人の下腹の膨らみに合わせて曲げ加工したもの、次に該管の中央に厚さ３ｃｍの縦２０ｃｍ横１５ｃｍの発泡スチロール板て作った前庭、次にこれに接続した集尿パット、次に該パットの底に縦１０ｃｍ横１５ｃｍ、厚さ３ｃｍの発泡スチロール板を縦長に圧着、固定、硬化させてその中央に塩化ビニール管、外径１８ｍ、内径１２ｍｍの穴を穿ちこれを固定、硬化させた後この穴に長さ８０ｃｍの伸縮ゴムをとおした後該ゴムの両端を上記塩ビ管の両端にそれぞれ引掛けるところの送り出しし瓶。
【請求項２】
塩化ビニール管は人の臍と排尿器管の中ほどから骨盤の左右の骨の出っぱりに向けて人の下腹の膨らみに合わせて曲げ加工したものであって、この管の中に縒った紐をとおし背中を回して前で結び、その後該管の左右の先端に集尿パットの底につけた発泡スチロール板の中央の穴にとおした伸縮ゴムの両端を人の左右の尻たぶの下をとおして該管の左右の先端にそれぞれ引掛けるところの請求項１の送り出しし瓶。
【請求項３】
0003218436.tif 000014
横１５ｃｍの発泡スチロール板を該管と集収パットの間の捨て材として５ｃｍくらいの間隔をあけて圧着固定、硬化させた前庭を繋いだ請求項１の送り出しし瓶。
【請求項４】
前庭の下に圧着、固定、硬化させる集収パットの前部は１０ｃｍ２、後部は５ｃｍ２、長さは１５ｃｍの正四角錐台であって、その箱型の上面は取り除けられており、後部の５ｃｍ２の縦壁の下部に該箱の底の後端に
0003218436.tif 000015
は空気抜き穴を穿たれた集尿ボトルがつながれた請求項１の送り出しし瓶。
【請求項５】
これら一連の送り出しし瓶の繋ぎ方は建築用のシリコン目地シールを用いるのであるがそれらを繋ぐには該シールを接着面の内外に塗布した後両側から圧力をかけ固定した後この状態で１２時間位かけて硬化させるようにした請求項１の送り出しし瓶。
【請求項６】
板にビニールホースをとおして圧着、固定硬化させるには、穴を穿った板の内外両面に、予め、とおすホースの外径とおなじ内径の座金をとおしておいた後、板の両面座金の板に当る内面に該目地シールを塗布し、更にとおしたホースの先端を炙って切り口の周囲を膨張させて、冷して硬化させた部位の外側にも該シールを塗布した後貫かせて通したホースともども座金、板、座金を外側に引き戻すことで板とホースの間の隙間が塞がれて圧着、固定、硬化された請求項１の送り出しし瓶。
【手続補正書】
【提出日】平成30年7月17日(2018.7.17)
【手続補正１】
【補正対象書類名】実用新案登録請求の範囲
【補正対象項目名】全文
【補正方法】変更
【補正の内容】
【実用新案登録請求の範囲】
【請求項１】
この送り出しし瓶は５つの部品からなるのであるが、上から順に▲１▼塩化ビニール管の外径１８ｍｍ、内径１２ｍｍ、長さ４５ｃｍを人の排尿器とヘソの中間の下腹の膨らみに合わせて曲げ加工したもの▲２▼該管の曲がりの中央に厚さ３ｃｍ縦２０ｃｍ横１５ｃｍの発泡スチロール板でできた前庭▲３▼これに接着させて接続した集尿パット、▲４▼該パットの底の中央線上に縦長に圧着、硬化、固定させたところの長さ１５ｃｍ高さ１０ｃｍの斜線を持つ直角三角形の中央に外径１８ｍｍ、内径１２ｍｍ、長さ３ｃｍの塩化ビニール管をとおす穴を穿ち、該管を固定、硬化させた後該塩化ビニール管に▲５▼長さ８０ｃｍの伸縮ゴムをとおして上記曲げ加工した塩化ビニール管の両端に引っ掛けるようにした送り出しし瓶。
【請求項２】
塩化ビニール管の曲げ加工は、人の下腹の膨らみに合わせて曲げ、これを人の骨盤の左右の骨の出っ張りの上に向けて導くのであるが、該管にタオル地で縒った紐をとおして背中を回して前で結び、その後該管の左右の先端に集尿パットの底に縦長につけた発泡スチロール板の中央の穴にとおした伸縮ゴムを尻たぶの下から該曲げ加工した塩化ビニール管の両端に引っ掛けるようにしてこの送り出しし瓶を体に密着させるようにしたところの請求項１の送り出しし瓶。
【請求項３】
次に曲げ加工した塩化ビニール管の曲がりの中央に厚さ３ｃｍ、縦２０ｃｍ、横１５ｃｍの発泡スチロール板を該管と集尿パットの間の捨て材として５ｃｍ位の間隔をあけて、圧着、硬化、固定させて集尿パットを繋いだ前庭を持つところの請求項１送り出しし瓶。
【請求項４】
前庭の下に圧着、硬化、固定させる集尿パットの前部は１０ｃｍ２、後部は５ｃｍ２、長さは１５ｃｍの四角錐台であって、その箱型の上面は取り除かれており、後部の５ｃｍ２の壁の下部には該集尿パットの箱の底に通じるところの外径８ｍｍの最下部の集尿ボトルに繋ぐビニールホースを繋ぐ穴があって、該集尿ボトルの上部には直径２ｍｍの小孔が穿たれたところの請求項１の送り出しし瓶。
【請求項５】
この送り出しし瓶の５つの各部品は建築用のシリコン目地シールを使うのであるが、これらの部品を繋ぐには該目地シールを接着面の裏表に塗布した後、両側から圧力をかけて固定し、１２時間以上かけてこれを硬化させたところの請求項１の送り出しし瓶。
【請求項６】
集尿パットと集尿ボトルを外径８ｍｍのビニールホースで繋ぐのであるが繋ぐ位置の板の内外両面に予めとおすホースとの外径と同じ内径の金属座金を当てて、繋ぐ位置の板の内外に目地シールを塗布してこれらに外径８ｍｍの繋ぎビニールホースをとおした後、該ビニールホースが抜き出た端末を炙って膨ませて硬化させた後該端末を板面まで引き戻して、塗布した目地シールで接着硬化させることで漏水のおそれが全くない接着硬化が完成するところの請求項１の送り出しし瓶。
【手続補正２】
【補正対象書類名】明細書
【補正対象項目名】０００７
【補正方法】変更
【補正の内容】
【０００７】
【図１】全体図長さ４５ｃｍの曲げ加工したＶＰ１３の中央の前部に接着した前庭と集尿パットと、その外部底に縦長直角三角形の発泡スチロールが一体となって、下腹の前部に括り付けられたＶＰ１３とその下部に接着された前庭との接触点が支点となって下部の縦直角三角形の中央にとおした長さ３ｃｍのＶＰ１３の穴にとおした伸縮ゴム紐て排尿器官に引き寄せられて長時間の密着が促されるところの一体型集尿パットと腰巻き紐、引寄せ伸縮ゴム紐の結束図。
【図２】集尿パットの底盤の最後部の縦壁に直径８ｍｍのビニールホースをとおす穴を穿ち、該縦壁の内外に内径８ｍｍの金属座金をあてがった後該ビニールホースをとおすのであるが、該ホースを集尿パットの内側に突き出された該ホースの先端を炙って膨張させ、且つ硬化させた後、該縦壁を挟んだところの金属座金の内側及び膨張硬化させた該ホースの先端の座金に当る部分にそれそれ目地シールを塗布した後、とおしたホースをなる丈、縦壁の平面にならうように引き戻して圧着硬化させることで漏尿を防ぐようにしたところの集尿パットとホース、そしてホースと集尿ボトルの繋ぎ方の図。
【図３】全体横視図
【手続補正３】
【補正対象書類名】明細書
【補正対象項目名】００１０
【補正方法】変更
【補正の内容】
【符号の説明】
【００１０】
１．ＶＰ１３塩化ビニールパイプを曲げ加工したもの
２．前庭        ３．集尿パット        ４．集尿パットの底に縦長につけた直角三角形の発泡スチロール
５．とおす伸縮ゴム紐    ６．腰紐    ７．金属座金
８．金属繋ぎ管（ソケット）          ９．透明ビニールホース
１０．集尿パットの底盤            １１．透明導入ホース
１２．集尿ボトルの空気抜きのための小孔。
【手続補正４】
【補正対象書類名】図面
【補正対象項目名】全図
【補正方法】変更
【補正の内容】
【図１】
0003218436.tif 000016
【図２】
0003218436.tif 000017
【図３】
0003218436.tif 000018